(57)【要約】【課題】白色光源からの白色光に補助光源からの特定波長光を重畳して補うことで、高品質の映像を表示することができ、また、白色光源及び補助光源の点灯時に、補助光源からの特定波長光の強度が強い映像が表示されてユーザに不快感を与えることがない表示装置を提供する。【解決手段】プロジェクタ１の起動時に、制御部２０はまず高圧水銀ランプ１１の点灯を行い、点灯判定部２１により点灯が成功した場合に、複数のＬＥＤが並設されたＬＥＤアレイ１２の点灯を開始する。ＬＥＤアレイ１２の点灯は、供給する電流を徐々に増加させる、デューティー比を増しながらパルス信号により点灯する、又は複数のＬＥＤの点灯数を徐々に増加させる等の方法により、光量が徐々に増加するように制御して行う。【選択図】図１
2007147870.tif 000002
【特許請求の範囲】
【請求項１】
白色光源と、特定の波長領域の光を発する補助光源とを備え、前記白色光源及び前記補助光源からの光を変調して形成された映像を表示する表示装置において、
前記白色光源及び前記補助光源を点灯する場合に、前記補助光源を光量の増加量を制御しながら点灯する点灯制御手段を備えること
を特徴とする表示装置。
【請求項２】
前記補助光源は、供給される電気量に応じた光量の光を発するものであり、
前記点灯制御手段は、前記補助光源へ供給する電気量を制御するようにしてある請求項１に記載の表示装置。
【請求項３】
前記点灯制御手段は、デューティー比を増しながら断続的に前記補助光源へ給電を行って点灯を行うようにしてある請求項１に記載の表示装置。
【請求項４】
前記補助光源は、複数の発光素子を有し、
前記点灯制御手段は、前記複数の発光素子の点灯数を増していくようにしてある請求項１に記載の表示装置。
【請求項５】
前記白色光源の温度を検出する検出手段を備え、
前記点灯制御手段は、前記検出手段の検出結果に応じて前記補助光源の光量を増すようにしてある請求項１乃至請求項４のいずれか１つに記載の表示装置。
【請求項６】
白色光源と、特定の波長領域の光を発する補助光源とを備え、前記白色光源及び前記補助光源からの光を変調して形成された映像を表示する表示装置において、
前記白色光源の点灯の可否を判定する判定手段と、
該判定手段により前記白色光源の点灯が不可能と判定された場合に、前記補助光源を点灯しないように制御する点灯制御手段と
を備えることを特徴とする表示装置。
【請求項７】
白色光源と、特定の波長領域の光を発する補助光源とを備え、前記白色光源及び前記補助光源からの光を変調して形成された映像を表示する表示装置において、
前記白色光源の点灯の可否を判定する判定手段と、
該判定手段により前記白色光源の点灯が不可能と判定された場合に、前記補助光源を点灯するように制御する点灯制御手段と、
前記補助光源からの光を変調して報知用の映像を形成して表示する手段と
を備えることを特徴とする表示装置。
【請求項８】
前記白色光源の点灯時間を計時する計時手段を備え、
前記白色光源の点灯時間が所定時間を超過した場合、前記白色光源を点灯しないようにしてある請求項６又は請求項７に記載の表示装置。
【発明の詳細な説明】
【技術分野】
【０００１】
本発明は、プロジェクタ又は液晶ディスプレイ等の表示装置に関し、更に詳しくはランプ及びＬＥＤ（Ｌｉｇｈｔ  Ｅｍｉｔｔｉｎｇ  Ｄｉｏｄｅ）等の２種類の光源を備える表示装置に関する。
【背景技術】
【０００２】
従来から、ハロゲンランプ、キセノンランプ又は水銀ランプ等の光源を備え、光源からの白色光をＤＭＤ（Ｄｉｇｉｔａｌ  Ｍｉｃｒｏｍｉｒｒｏｒ  Ｄｅｖｉｃｅ）又は液晶パネル等の光変調素子により光変調して映像を形成し、スクリーンへ映像を投射するプロジェクタが普及している。しかし、光源として用いられる上述のランプでは、白色光に含まれる赤色光の強度が緑色光及び青色光の強度より小さいため、赤色光の強度に合わせて緑色光及び青色光の強度を低減させて使用する必要があった。
【０００３】
特許文献１においては、白色光を発する超高圧水銀ランプ及び赤色光を発するＬＥＤを備え、ＬＥＤにより赤色光の強度を補強することで、光効率がよく、カラーバランスが良好なプロジェクタが提案されている。このプロジェクタにおいては、ランプからの白色光及びＬＥＤからの赤色光をダイクロイックプリズムにて混合して照射し、この光をダイクロイックミラーにより赤色光、緑色光及び青色光に分離し、分離したそれぞれの光を光変調素子により光変調し、光変調したそれぞれの光をクロスダイクロイックプリズムにより合成して投射するようにしてある。
【０００４】
特許文献２においては、白色光を発する放電ランプ及び特定の波長帯域に属する光を発するＬＥＤを備え、ＬＥＤからの光により放電ランプを補助することで、輝度及び色再現性を向上することができ、放電ランプの交換頻度を少なくすることができる映像表示装置が提案されている。この映像表示装置においては、放電ランプからの光とＬＥＤからの光を挟帯域フィルタにより重畳し、重畳された光をカラーフィルタにより分離し、分離された光を光変調素子にて光変調して投影するようにしてある。
【０００５】
特許文献３においては、読み取り用光源として３波長を持つ冷陰極管とアレイ状のＬＥＤとを組み合わせて用いることにより、点光源のように光度が不連続となる部分をなくすと共に、点灯までに照度がばらつくことを防止して、原稿の画像を読み取るのに好適な照度で原稿を照明して読み取りを行うことができる画像形成装置及び画像スキャン方法が提案されている。
【特許文献１】特開２００４−２６４５１２号公報
【特許文献２】特開２００５−２５００８８号公報
【特許文献３】特開２００５−６５１９８号公報
【発明の開示】
【発明が解決しようとする課題】
【０００６】
しかしながら、特許文献１に記載のプロジェクタ及び特許文献２に記載の映像表示装置においては、異なる種類の光源を備えるため、装置が起動されて光源を点灯する場合に、各光源の点灯が完了するまでに要する時間が異なるという問題がある。例えば、水銀ランプは起動後に光量が安定するまで数分程度の時間を必要とするが、ＬＥＤは起動後すぐに光量が安定する。特許文献３に記載の画像形成装置の場合には、冷陰極管の光量が安定した後に原稿の読み取りを開始すればよいが、プロジェクタのような表示装置においては、ＬＥＤが特定の波長帯域に属する光、例えば赤色の光を発するものである場合、起動直後に表示される映像は赤色成分が強い映像となり、ユーザが不快に感じる虞がある。水銀ランプの光量が安定するまで映像を表示しないようにすることでこの問題を解決することができるが、装置の起動後数分の間は映像を表示することができないため、装置の利便性が悪化する虞がある。また、水銀ランプの寿命は数千時間程度であり、ＬＥＤの寿命は数万時間以上であるため、水銀ランプの寿命が尽きた場合には、水銀ランプが点灯せず、ＬＥＤのみの赤色光で映像が表示され、ユーザに不快感を与える虞がある。
【０００７】
更に、光源として用いられるランプは、使用時間がある程度以上を超え、更に使用を続けた場合には破裂する虞がある。ランプが破裂した場合、ユーザがランプを交換するときに怪我をする虞があり危険であるため、プロジェクタには一定時間以上ランプが使用された場合にはランプを点灯できなくする保護機能が備えられている。保護機能によりランプが点灯できなくなった場合には、ユーザにランプの交換を促すために、例えばプロジェクタの装置本体に備えられた警告灯を点灯させるようにしてあることが多い。しかし、プロジェクタは部屋の天井及び壁等に固定されて使用されることがあり、この場合には警告灯を視認しにくいという問題があった。
【０００８】
本発明は、斯かる事情に鑑みてなされたものであって、その目的とするところは、光源として白色光源と特定の波長領域の光を発する補助光源とを備えて、装置の起動時に光源を点灯する場合に、補助光源の光量の増加量を制御しながら点灯する構成とすることにより、白色光源の光量が安定するまでに必要な時間に合わせた光量の増加量で補助光源の点灯を行うことができる表示装置を提供することにある。
【０００９】
また本発明の他の目的とするところは、補助光源が供給される電気量に応じた光量の光を発するものである場合、例えば供給電流量に応じて光量が変化するＬＥＤである場合、補助光源への供給電流量を制御して補助光源の光量を制御する構成とすることにより、補助光源の光量の制御を簡単に行うことができる表示装置を提供することにある。
【００１０】
また本発明の他の目的とするところは、デューティー比を増しながら補助光源をパルス制御にて点灯することで光量を増していく構成とすることにより、補助光源の光量の制御を簡単に行うことができる表示装置を提供することにある。
【００１１】
また本発明の他の目的とするところは、補助光源が複数の発光素子により構成されるものである場合、点灯させる発光素子の数を徐々に増加させるように制御を行う構成とすることにより、補助光源の光量の制御を簡単に行うことができる表示装置を提供することにある。
【００１２】
また本発明の他の目的とするところは、白色光源の温度を検出し、検出した温度に応じて補助光源の光量を増す構成とすることにより、白色光源の光量安定までの時間の温度依存性を考慮した補助光源の点灯を行うことができる表示装置を提供することにある。
【００１３】
また本発明の他の目的とするところは、白色光源が点灯したか否かを判定可能とし、点灯しない場合には補助光源を点灯させない構成とすることにより、白色光源が寿命により点灯しなくなった場合に補助光源のみが点灯されることを防止できる表示装置を提供することにある。
【００１４】
また本発明の他の目的とするところは、白色光源が点灯したか否かを判定可能とし、点灯しない場合には補助光源の光のみを用いて報知用の映像を表示する構成とすることにより、白色光源の寿命が尽きて点灯しなくなった旨をユーザに報知することができる表示装置を提供することにある。
【００１５】
また本発明の他の目的とするところは、装置の使用時に白色光源が点灯していた時間をカウントし、点灯時間が所定時間を超過した場合に白色光源を点灯しない構成とすることにより、白色光源が例えばランプである場合に、ランプがある程度以上の時間使用され続けて破裂することを防止できる表示装置を提供することにある。
【課題を解決するための手段】
【００１６】
本発明に係る表示装置は、白色光源と、特定の波長領域の光を発する補助光源とを備え、前記白色光源及び前記補助光源からの光を変調して形成された映像を表示する表示装置において、前記白色光源及び前記補助光源を点灯する場合に、前記補助光源を光量の増加量を制御しながら点灯する点灯制御手段を備えることを特徴とする。
【００１７】
本発明においては、補助光源の光量の増加量を制御しながら補助光源の点灯を行う。例えば白色光源として水銀ランプを備え、補助光源として赤色光を発するＬＥＤを備える場合に、水銀ランプは点灯を完了するまでに数分の時間を必要とするため、これに合わせてＬＥＤを光量が徐々に増すように点灯し、装置の起動時に赤色成分の強い映像が表示されることを防止する。
【００１８】
また、本発明に係る表示装置は、前記補助光源が、供給される電気量に応じた光量の光を発するものであり、前記点灯制御手段は、前記補助光源へ供給する電気量を制御するようにしてあることを特徴とする。
【００１９】
本発明においては、補助光源が供給される電気量に応じた光量の光を発するものである場合、例えば電流量に応じて光量が変化するＬＥＤである場合、ＬＥＤへ供給する電流量を制御することで、白色光源、例えば水銀ランプの点灯時の光量増加量に合わせてＬＥＤの光量の制御を簡単に行うことができる。
【００２０】
また、本発明に係る表示装置は、前記点灯制御手段が、デューティー比を増しながら断続的に前記補助光源へ給電を行って点灯を行うようにしてあることを特徴とする。
【００２１】
本発明においては、補助光源、例えばＬＥＤの点灯をパルス制御、所謂ＰＷＭ（Ｐｕｌｓｅ  Ｗｉｄｔｈ  Ｍｏｄｕｌａｔｉｏｎ、パルス幅変調）方式の制御により点灯する場合、ＬＥＤの点灯開始から徐々にパルスの”Ｈ”時間が増していくように、即ちデューティー比を増すように制御を行う。ＬＥＤの光量の制御を簡単に行うことができ、また、ＬＥＤが点灯完了後もＰＷＭ方式で制御される場合に好適である。
【００２２】
また、本発明に係る表示装置は、前記補助光源が、複数の発光素子を有し、前記点灯制御手段は、前記複数の発光素子の点灯数を増していくようにしてあることを特徴とする。
【００２３】
本発明においては、補助光源が例えば複数のＬＥＤの集合体である場合に、点灯させるＬＥＤの数を徐々に増加させるように制御を行う。補助光源の光量の制御を簡単に行うことができ、また、補助光源の光量を増すためにより多くのＬＥＤを搭載する場合に好適である。
【００２４】
また、本発明に係る表示装置は、前記白色光源の温度を検出する検出手段を備え、前記点灯制御手段は、前記検出手段の検出結果に応じて前記補助光源の光量を増すようにしてあることを特徴とする。
【００２５】
本発明においては、白色光源の温度を検出し、検出した温度に応じて補助光源の光量を増して点灯を行う。例えば、水銀ランプは一度消灯した後に点灯する場合などでは、点灯開始後の光量の増加特性が変化し、点灯に必要な時間が変化するため、ＬＥＤの光量の増加を温度に応じて変化させ、白色光源の温度による特性変化に対応させる。
【００２６】
また、本発明に係る表示装置は、白色光源と、特定の波長領域の光を発する補助光源とを備え、前記白色光源及び前記補助光源からの光を変調して形成された映像を表示する表示装置において、前記白色光源の点灯の可否を判定する判定手段と、該判定手段により前記白色光源の点灯が不可能と判定された場合に、前記補助光源を点灯しないように制御する点灯制御手段とを備えることを特徴とする。
【００２７】
本発明においては、例えば白色光源が水銀ランプの場合、水銀ランプの点灯を試みて、数秒後に水銀ランプの電流又は電圧量を測定することにより、点灯が成功したか否かを判定することができ、水銀ランプが点灯していない場合には、補助光源を点灯しない。補助光源が例えば赤色光を発するＬＥＤである場合に、水銀ランプが点灯せずＬＥＤのみが点灯し、赤色光源のみの映像が表示される虞がなくなる。
【００２８】
また、本発明に係る表示装置は、白色光源と、特定の波長領域の光を発する補助光源とを備え、前記白色光源及び前記補助光源からの光を変調して形成された映像を表示する表示装置において、前記白色光源の点灯の可否を判定する判定手段と、該判定手段により前記白色光源の点灯が不可能と判定された場合に、前記補助光源を点灯するように制御する点灯制御手段と、前記補助光源からの光を変調して報知用の映像を形成して表示する手段とを備えることを特徴とする。
【００２９】
本発明においては、白色光源が点灯しない場合に、補助光源を点灯して、報知用の映像を補助光源からの光のみを用いて表示する。補助光源が例えば赤色光を発するＬＥＤである場合、報知用の映像が赤色で表示されるため、ユーザに対して効果的に報知を行うことができる。
【００３０】
また、本発明に係る表示装置は、前記白色光源の点灯時間を計時する計時手段を備え、前記白色光源の点灯時間が所定時間を超過した場合、前記白色光源を点灯しないようにしてあることを特徴とする。
【００３１】
本発明においては、白色光源の点灯時間をカウントし、点灯時間の累積が所定の時間を超過した場合には、白色光源を点灯しないようにする。白色光源が例えば水銀ランプである場合、使用時間がある程度以上を超え、更に使用を続けた場合には破裂する虞があるが、これを防止することができる。
【発明の効果】
【００３２】
本発明による場合は、表示装置の起動時に白色光源及び補助光源を点灯する場合に、補助光源の光量の増加量を制御しながら点灯する構成とすることにより、白色光源の光量が安定するまでに必要な時間に合わせた光量の増加量で補助光源の点灯を行うことができ、装置の起動時に赤色成分の強い映像が表示されることを防止できるため、ユーザが赤色成分の強い映像を見て不快感を感じることを防止でき、表示装置の表示品位を高めることができる。
【００３３】
また、本発明による場合は、補助光源が供給される電気量に応じた光量の光を発するものである場合、例えば電流量に応じて光量が変化するＬＥＤである場合、ＬＥＤへ供給する電流量を制御して点灯する構成とすることにより、白色光源、例えば水銀ランプの点灯時の光量増加量に合わせてＬＥＤの光量の制御を簡単に行うことができるため、赤色成分の強い映像が表示されることをより簡単に防止することができる。
【００３４】
また、本発明による場合は、デューティー比を増しながら補助光源をパルス制御にて点灯することで光量を増していく構成とすることにより、白色光源の点灯時の光量増加量に合わせて補助光源の光量の制御を簡単に行うことができるため、赤色成分の強い映像が表示されることをより簡単に防止することができる。
【００３５】
また、本発明による場合は、補助光源が複数の発光素子により構成されるものである場合、点灯させる発光素子の数を徐々に増加させるように制御を行う構成とすることにより、白色光源の点灯時の光量増加量に合わせて補助光源の光量の制御を簡単に行うことができるため、赤色成分の強い映像が表示されることをより簡単に防止することができる。
【００３６】
また、本発明による場合は、白色光源の温度を検出し、検出した温度に応じて補助光源の光量を増す構成とすることにより、白色光源の光量安定までの時間の温度依存性に応じて補助光源の点灯を行うことができ、赤色成分の強い映像が表示されることをより確実に防止することができるため、ユーザが赤色成分の強い映像を見て不快感を感じることをより確実に防止できる。
【００３７】
また、本発明による場合は、白色光源が点灯したか否かを判定可能とし、点灯しない場合には補助光源を点灯させない構成とすることにより、白色光源が点灯しない場合に補助光源のみが点灯されることを防止でき、例えば補助光源が赤色光を発するＬＥＤである場合に、赤色光のみによる映像が表示されてユーザが不快感を感じることを防止でき、表示装置の表示品位を高めることができる。
【００３８】
また、本発明による場合は、白色光源が点灯したか否かを判定可能とし、点灯しない場合には補助光源の光のみを用いて報知用の映像を表示する構成とすることにより、補助光源が例えば赤色光を発するＬＥＤである場合、報知用の映像が赤色で表示されるため、ユーザに対して効果的に報知を行うことができ、ユーザに白色光源の交換を確実に促すことができる。
【００３９】
また、本発明による場合は、白色光源の点灯時間をカウントし、点灯時間の累積が所定の時間を超過した場合には、白色光源を点灯しない構成とすることにより、白色光源が例えばランプである場合に、ランプがある程度以上の時間使用され続けて破裂することを防止できるため、ユーザが破裂したランプを交換して怪我をする虞がなく、表示装置の安全性を高めることができる。
【発明を実施するための最良の形態】
【００４０】
（実施の形態１）
以下、本発明をその実施の形態を示す図面に基づき具体的に説明する。本実施の形態においては、表示装置としてプロジェクタを例に説明を行う。図１は、本発明の実施の形態１に係るプロジェクタの構成を示すブロック図である。図において１はプロジェクタであり、外部の再生装置であるＤＶＤプレーヤ１０１から与えられた映像信号を基に光源からの光を光変調してスクリーン１０２へ投影するものである。
【００４１】
プロジェクタ１は、白色光を発する高圧水銀ランプ１１と、赤色光を発するＬＥＤを複数並設したＬＥＤアレイ１２とを光源として備えており、赤色成分が緑色成分及び青色成分より弱い高圧水銀ランプ１１からの白色光を、ＬＥＤアレイ１２からの赤色光で補うことで、スクリーン１０２に表示される映像の色純度及び輝度等の品質を高めることが可能としてある。高圧水銀ランプ１１からの白色光及びＬＥＤアレイ１２からの赤色光はダイクロイックプリズム１３にて重畳され、カラーホイール１４へ集光される。
【００４２】
カラーホイール１４は、赤色、緑色及び青色の光をそれぞれ透過する扇状のカラーフィルタを３つ等配した円盤であり、中心には図示しないモータの回転軸が接続されている。モータによりカラーホイール１４を回転させることで、ダイクロイックプリズム１３からの光を一定期間に例えば赤色、緑色そして青色の順番に透過させて、白色光を赤色成分、緑色成分又は青色成分を有する３つの光に分離することができるようにしてある。
【００４３】
カラーホイール１４にて分離された光は、ＤＭＤ又は液晶パネル等の光変調素子を有する光変調部１５へ入射するようにしてある。光変調部１５は、後述する制御部２０から与えられる制御信号により入射した光を変調して映像を形成するようにしてある。光変調部１５にて形成された映像は投射レンズ１６にて拡大されてスクリーン１０２へ投射されるようにしてある。
【００４４】
また、プロジェクタ１は、ＤＶＤプレーヤ１０１にケーブルを介して接続される入力端子を有する入力部２４を備えており、入力部２４は、ＤＶＤプレーヤ１０１から入力される映像信号を制御部２０へ与えるようにしてある。制御部２０は、入力部２４から与えられた映像信号を基に、光変調部１５に備えられたＤＭＤ又は液晶パネル等の光変調素子を制御して映像を形成するようにしてある。
【００４５】
また、プロジェクタ１は、高圧水銀ランプ１１を点灯するために必要な駆動電圧を発生し、高圧水銀ランプ１１へ与えるランプ駆動部２３を備えており、ランプ駆動部２３は、制御部２０から与えられる駆動命令により高圧水銀ランプ１１を駆動して点灯するようにしてある。高圧水銀ランプ１１はランプの内部が高温である場合には点灯できないため、高圧水銀ランプ１１をある程度の時間使用した後に消灯し、その直後に再点灯することができない。このように点灯できない状態でランプ駆動部２３が電圧を印加し続けた場合、高圧水銀ランプ１１の寿命の劣化をまねく虞がある。高圧水銀ランプ１１の点灯が成功したか否かは、ランプ駆動部２３が点灯を試みた数秒後に、高圧水銀ランプ１１の電流又は電圧を調べることで判定することができるため、点灯判定部２１にてこれの判定を行い、制御部２０へ判定結果を与えるようにしてある。判定結果を与えられた制御部２０は、高圧水銀ランプ１１の点灯に失敗した場合には、ランプ駆動部２３による駆動電圧の印加を停止し、高圧水銀ランプ１１の温度が低下するのに十分な時間を待った後、ランプ駆動部２３へ再び駆動命令を与えて再点灯を試みるようにしてある。
【００４６】
また、プロジェクタ１は、ＬＥＤアレイ１２の複数のＬＥＤを駆動するためのＬＥＤ駆動部２２を備えている。ＬＥＤ駆動部２２は、制御部２０によって制御され、ＬＥＤアレイ１２のＬＥＤに供給する駆動電流の電流量を調整しながら、ＬＥＤの点灯を行うようにしてある。ＬＥＤアレイ１２のＬＥＤは、高圧水銀ランプ１１と比較して光量の制御を行いやすく、駆動電流の電流量を調整することで光量の制御を行うことができる。
【００４７】
ＬＥＤアレイ１２のＬＥＤは、高圧水銀ランプ１１と比較して点灯が完了するまでに必要な時間が十分に短く、高圧水銀ランプ１１及びＬＥＤアレイ１２を同時に点灯し、ＬＥＤアレイ１２の電流量を制御しない場合には、点灯の初期段階に赤色成分の強い映像が投射される虞がある。特に、高圧水銀ランプ１１の点灯に失敗して再点灯を試みる場合には、赤色のみの映像が投射されるため、ユーザが不快感を感じる虞がある。このため、制御部２０は、高圧水銀ランプ１１の点灯が成功した後に、ＬＥＤアレイ１２の光量を徐々に増しながらＬＥＤアレイ１２の点灯を行うようにしてある。
【００４８】
図２は、本発明に係るプロジェクタ１起動時の高圧水銀ランプ１１及びＬＥＤアレイ１２の光量を示すグラフである。なお、本図においては、高圧水銀ランプ１１は点灯に失敗することなく点灯を完了した場合について図示してある。また、ＬＥＤアレイ１２を高圧水銀ランプ１１と同時に点灯し、光量の制御を行わない場合を図中に破線で示してある。
【００４９】
図２に示すように、高圧水銀ランプ１１及びＬＥＤアレイ１２を同時に点灯した場合、ＬＥＤアレイ１２は点灯開始直後に点灯を完了し、点灯の初期期間において、高圧水銀ランプ１１が発する白色光の光量よりＬＥＤアレイ１２が発する赤色光の光量が多い期間が存在する。この期間では赤色成分が非常に強い映像がスクリーン１０２に投射される。その後、高圧水銀ランプ１１の白色光の光量がＬＥＤアレイ１２の赤色光の光量より多くなるが、高圧水銀ランプ１１の光量が安定するまでは赤色光の比率が高いため、赤色成分が若干強い映像がスクリーン１０２に投射される。
【００５０】
このため、本発明においては、制御部２０は、高圧水銀ランプ１１の点灯を開始し、数秒経過した後（時間ｔ１）に高圧水銀ランプ１１の点灯の点灯判定部２１にて成否を判定し、点灯が成功した場合にＬＥＤアレイ１２の点灯を開始するようにＬＥＤ駆動部２２に駆動命令を与えるようにしてある。また、ＬＥＤアレイ１２に供給する電流量を調整して徐々に光量が増すように、更に、高圧水銀ランプ１１の光量が安定する時間又はその近傍（時間ｔ２）にて光量が最大量となるように点灯を行うようにしてある。これにより、高圧水銀ランプ１１の点灯の初期段階から、赤色成分の強い映像が投射されることなく、ＬＥＤアレイ１２により赤色成分が補われた色純度の良好な映像を投射することができる。
【００５１】
なお、ＬＥＤアレイ１２の光量の一定時間あたりの増加量は、予め測定した高圧水銀ランプ１１の点灯特性に応じて予め決定し、制御部２０に備えられた図示しないＥＥＰＲＯＭ又はフラッシュメモリ等のメモリに記憶しておく。制御部２０は、ＬＥＤアレイ１２を点灯する場合に、メモリから光量の増加量を読み出し、これに応じてＬＥＤ駆動部２２を制御するようにしてある。
【００５２】
図３は、本発明の実施の形態１に係るプロジェクタ１の起動時に制御部２０が行う光源の点灯処理の処理手順を示すフローチャートである。ユーザによりプロジェクタ１に電源が投入された後、制御部２０はまず、ランプ駆動部２３に駆動命令を与えて、高圧水銀ランプの点灯を行う（ステップＳ１）。その後、数秒間待機して（ステップＳ２）、点灯判定部２１により高圧水銀ランプ１１の点灯が成功したか否かを調べる（ステップＳ３）。なお、待機時間の時間計測は、制御部２０に備えられた図示しないタイマを用いて行われる。
【００５３】
高圧水銀ランプ１１の点灯に失敗していた場合（Ｓ３：ＮＯ）、予め定められた所定回数以上に高圧水銀ランプ１１の点灯に失敗したか否かを調べる（ステップＳ４）。なお、点灯に失敗した回数は、制御部２０に備えられた図示しないカウンタを用いて行われる。所定回数以上に点灯を失敗していた場合（Ｓ４：ＹＥＳ）、制御部２０は処理を終了する。点灯に失敗した回数が所定回数以上でない場合（Ｓ４：ＮＯ）、数十秒間待機して（ステップＳ５）、高圧水銀ランプ１１の温度が低下するまで待ち、ステップＳ１へ戻って、高圧水銀ランプ１１の点灯を行う。
【００５４】
ステップＳ３にて、高圧水銀ランプ１１の点灯に成功していた場合（Ｓ３：ＹＥＳ）、ＬＥＤ駆動部２２に駆動命令を与えて、ＬＥＤアレイ１２の点灯を開始する（ステップＳ６）。制御部２０に備えられたタイマにより計時を行って、一定時間が経過したか否かを調べ（ステップＳ７）、一定時間が経過していない場合には（Ｓ７：ＮＯ）、一定時間が経過するまで待機する。一定時間が経過した後（Ｓ７：ＹＥＳ）、予め定められた電流増加量にしたがってＬＥＤアレイ１２へ供給する電流量を増加する（ステップＳ８）。その後、ＬＥＤアレイ１２の光量が最大量に達して、ＬＥＤアレイ１２の点灯が完了したか否かを調べ（ステップＳ９）、完了していない場合には（Ｓ９：ＮＯ）、ステップＳ７へ戻り、供給電流量の増加を繰り返し行う。ＬＥＤアレイ１２の点灯が完了した場合（Ｓ９：ＹＥＳ）、制御部２０は処理を終了する。
【００５５】
以上の構成のプロジェクタ１においては、高圧水銀ランプ１１及びＬＥＤアレイ１２の点灯開始タイミングをずらし、ＬＥＤアレイ１２への供給電流を調整して光量の調整を行うことにより、プロジェクタ１の起動時に赤色成分が強い映像がスクリーン１０２に投射され、ユーザが不快に感じることを防止することができる。また、高圧水銀ランプ１１の点灯に失敗した場合には、ＬＥＤアレイ１２を点灯せずに処理を終了する構成とすることにより、高圧水銀ランプ１１が寿命により点灯しなくなった場合に、ＬＥＤアレイ１２の赤色光のみで形成された赤色のみの映像がスクリーン１０２に投射されることを防止できる。
【００５６】
なお、本実施の形態においては、表示装置としてプロジェクタを例に説明を行ったが、これに限るものではなく、例えば液晶ディスプレイなどで冷陰極管及びＬＥＤ等の２種類の光源を備える場合であっても同様の構成を適用することができる。また、高圧水銀ランプ１１及びＬＥＤアレイ１２の点灯開始タイミングをずらし、高圧水銀ランプ１１の点灯判定後にＬＥＤアレイ１２の点灯を開始する構成としたが、これに限るものではなく、高圧水銀ランプ１１及びＬＥＤアレイ１２を同じタイミングで点灯開始する構成であってもよく、また、高圧水銀ランプ１１の点灯開始し、タイマにより計時を行って、一定時間が経過した後にＬＥＤアレイ１２の点灯を開始する構成であってもよい。更には、ＬＥＤアレイ１２を高圧水銀ランプ１１より先に点灯開始し、高圧水銀ランプ１１の点灯が成功するまで映像の投射を行わないようにする構成であってもよい。
【００５７】
また、ＬＥＤアレイ１２に供給する電流の増加量を予め定めておく構成を示したが、これに限るものではなく、例えば高圧水銀ランプ１１の光量を検出する光センサを搭載して、光センサの検出結果に応じてＬＥＤアレイ１２に供給する電流量を決定する構成であってもよく、この場合には、高圧水銀ランプ１１の光量とＬＥＤアレイ１２の光量との比が略一定となるようにＬＥＤアレイ１２の光量を調整することにより、ＬＥＤアレイ１２を最も効率よく利用することができる。
【００５８】
また、白色光源として高圧水銀ランプ１１を用いる構成としたが、これに限るものではなく、高圧ナトリウムランプ又はメタルハイドランプ等の他のランプであってもよい。また、補助光源としてＬＥＤを用いる構成としたが、これに限るものではなく、他の発光素子を用いる構成であってもよい。また、高圧水銀ランプ１１及びＬＥＤアレイ１２からスクリーン１０２までの光路の構成は図１に示すものに限るものではなく、他の構成であってもよい。
【００５９】
（変形例１）
図４は、本発明の実施の形態１の変形例１に係るプロジェクタの構成を示すブロック図である。変形例１に係るプロジェクタ１ａは、ＬＥＤアレイ１２をＰＷＭ方式により駆動するようにしてあり、ＬＥＤアレイ１２を駆動するパルス信号を生成するパルス信号生成部３１を備えている。パルス信号生成部３１は、制御部２０ａから与えられる駆動命令に従って方形パルス信号を生成し、ＬＥＤアレイ１２へ与えるようにしてあり、方形パルス信号の”Ｈ”期間の長さ、所謂デューティー比を調整することによりＬＥＤアレイ１２の発する赤色光の光量を調整するようにしてある。制御部２０ａは、プロジェクタ１ａの起動時に、図３に示すフローチャートと同様の手順で高圧水銀ランプ１１及びＬＥＤアレイ１２の点灯処理を行うが、ステップＳ８にて電流量を増加させる処理を行うことに代えて、パルス信号生成部３１が生成する方形パルス信号の”Ｈ”期間の長さを長くする処理を行い、ＬＥＤアレイ１２の光量を増加するようにしてある。
【００６０】
（変形例２）
図５は、本発明の実施の形態１の変形例２に係るプロジェクタの構成を示すブロック図である。変形例２に係るプロジェクタ１ｂは、ＬＥＤアレイ１２ｂに並設されている複数のＬＥＤを、ＬＥＤ駆動部２２ｂが個別に駆動して点灯することができるようにしてある。ＬＥＤ駆動部２２ｂは、複数のＬＥＤへ個別に電流を供給するようにしてあり、制御部２０ｂから与えられる駆動命令に従って、複数のＬＥＤを順次駆動して点灯するようにしてある。制御部２０ｂは、プロジェクタ１ｂの起動時に、図３に示すフローチャートと同様の手順で高圧水銀ランプ１１及びＬＥＤアレイ１２ｂの点灯処理を行うが、ステップＳ８にて電流量を増加させる処理を行うことに代えて、ＬＥＤアレイ１２ｂ中のＬＥＤの点灯数を増加させる処理を行い、ＬＥＤアレイ１２ｂの光量を増加するようにしてある。
【００６１】
（変形例３）
図６は、本発明の実施の形態１の変形例３に係るプロジェクタのＬＥＤの点灯機構の構成を示す回路図である。変形例３に係るプロジェクタの制御部２０ｃは、ＬＥＤ駆動部２２ｃにＬＥＤアレイ１２（図６には１つのＬＥＤのみ図示してある）の点灯／非点灯を決定する１ビットの駆動命令を与えて、ＬＥＤアレイ１２の点灯／非点灯のタイミングのみを制御するようにしてある。ＬＥＤ駆動部２２ｃは、駆動電流を発生する電流源Ｉｓ及び駆動電流の供給／非供給を切り替えるスイッチＳＷを備えており、制御部２０ｃからＬＥＤアレイ１２を点灯する命令が与えられた場合に、スイッチＳＷを切り替えてＬＥＤアレイ１２へ駆動電流を供給するようにしてある。ＬＥＤアレイ１２の各ＬＥＤは、アノード側にＬＥＤ駆動部２２ｃの出力が接続されて駆動電流が供給されるようにしてあり、カソード側には並列に接続された抵抗Ｒ及び容量Ｃを介して接地電位に接続されている。これにより、抵抗Ｒの抵抗値及び容量Ｃの容量値で決まる時定数に応じて、ＬＥＤ駆動部２２ｃからの駆動電流の立ち上がりが遅れるため、ＬＥＤアレイ１２の光量が最大量に達するまでの時間を延ばすことができる。予め高圧水銀ランプ１１の光量が安定するまでの時間に応じて、適切な抵抗Ｒの抵抗値及び容量Ｃの容量値を決定しておくことで、高圧水銀ランプ１１の光量に合わせてＬＥＤアレイ１２の光量を増加させることができる。
【００６２】
（実施の形態２）
図７は、本発明の実施の形態２に係るプロジェクタの構成を示すブロック図である。実施の形態２に係るプロジェクタ４１は、高圧水銀ランプ１１又はその周囲の温度を検出する温度センサ４３を備えている。高圧水銀ランプ１１は、周囲の温度が低い場合に点灯しにくく、光量の安定までに必要な時間が長くなる。このため、温度センサ４３が温度を検出して制御部４２へ検出結果を与え、制御部４２が検出結果に応じてＬＥＤ駆動部２２を制御し、ＬＥＤアレイ１２を点灯する場合に光量の増加量を調整するようにしてある。
【００６３】
図８は、本発明の実施の形態２に係るプロジェクタ４１起動時の高圧水銀ランプ１１及びＬＥＤアレイ１２の光量を示すグラフである。なお、本図においては、高圧水銀ランプ１１は点灯に失敗することなく点灯を完了した場合について図示してある。また、高圧水銀ランプ１１の周囲の温度が高い場合を実線で示し、温度が低い場合を一点鎖線で示してある。
【００６４】
図８に示すように、高圧水銀ランプ１１は周囲の温度が低温の場合には温度が高温の場合より光量が安定するまでに時間がかかる。このため、制御部４２は、ＬＥＤアレイ１２の光量の増加量を温度に応じて調整しながら点灯を行い、例えば、高温の場合には時間ｔ２にてＬＥＤアレイ１２の光量が最大となるように光量を増加させ、低温の場合には時間ｔ２より遅い時間ｔ３にてＬＥＤアレイ１２の光量が最大となるように光量を増加させるようにしてある。なお、ＬＥＤアレイ１２の光量の一定時間あたりの増加量は、予め測定した高圧水銀ランプ１１の点灯特性及び温度特性に応じて予め決定し、制御部２０に備えられた図示しないＥＥＰＲＯＭ又はフラッシュメモリ等のメモリに記憶しておく。制御部２０は、ＬＥＤアレイ１２を点灯する場合に、メモリから光量の増加量を読み出し、これに応じてＬＥＤ駆動部２２を制御するようにしてある。
【００６５】
図９は、本発明の実施の形態２に係るプロジェクタ４１の起動時に制御部４２が行う光源の点灯処理の処理手順を示すフローチャートである。ユーザによりプロジェクタ４１に電源が投入された後、制御部４２はまず、ランプ駆動部２３に駆動命令を与えて、高圧水銀ランプの点灯を行う（ステップＳ２１）。その後、数秒間待機して（ステップＳ２２）、点灯判定部２１により高圧水銀ランプ１１の点灯が成功したか否かを調べる（ステップＳ２３）。
【００６６】
高圧水銀ランプ１１の点灯に失敗していた場合（Ｓ２３：ＮＯ）、予め定められた所定回数以上に高圧水銀ランプ１１の点灯に失敗したか否かを調べる（ステップＳ２４）。所定回数以上に点灯を失敗していた場合（Ｓ２４：ＹＥＳ）、制御部４２は処理を終了する。点灯に失敗した回数が所定回数以上でない場合（Ｓ２４：ＮＯ）、数十秒間待機して（ステップＳ２５）、高圧水銀ランプ１１の温度が低下するまで待ち、ステップＳ２１へ戻って、高圧水銀ランプ１１の点灯を行う。
【００６７】
ステップＳ２３にて、高圧水銀ランプ１１の点灯に成功していた場合（Ｓ２３：ＹＥＳ）、ＬＥＤ駆動部２２に駆動命令を与えて、ＬＥＤアレイ１２の点灯を開始する（ステップＳ２６）。制御部４２に備えられたタイマにより計時を行って、一定時間が経過したか否かを調べ（ステップＳ２７）、一定時間が経過していない場合には（Ｓ２７：ＮＯ）、一定時間が経過するまで待機する。一定時間が経過した後（Ｓ２７：ＹＥＳ）、温度センサ４３により高圧水銀ランプ１１又はその周囲の温度を検出し（ステップＳ２８）、検出した温度に応じた電流増加量にしたがってＬＥＤアレイ１２へ供給する電流量を増加する（ステップＳ２９）。その後、ＬＥＤアレイ１２の光量が最大量に達して、ＬＥＤアレイ１２の点灯が完了したか否かを調べ（ステップＳ３０）、完了していない場合には（Ｓ３０：ＮＯ）、ステップＳ２７へ戻り、温度検出及び供給電流量の増加等を繰り返し行う。ＬＥＤアレイ１２の点灯が完了した場合（Ｓ３０：ＹＥＳ）、制御部４２は処理を終了する。
【００６８】
以上の構成のプロジェクタ４１においては、温度センサ４３を備えることにより白色光源である高圧水銀ランプ１１の点灯速度の温度依存性に応じて補助光源であるＬＥＤアレイ１２の点灯速度を調整できるため、より確実にプロジェクタ４１の起動時に赤色成分が強い映像がスクリーン１０２に投射され、ユーザが不快に感じることを防止することができる。
【００６９】
なお、実施の形態２においては、表示装置としてプロジェクタ４１を例に説明を行ったが、これに限るものではなく、表示装置は例えば冷陰極管及びＬＥＤを光源として備える液晶ディスプレイであってもよく、この場合、冷陰極管は高圧水銀ランプと比較して自己発熱が少なく周囲の温度の影響を受けやすいため、温度センサを備える上述の構成が好適である。また、ＬＥＤアレイ１２の点灯開始タイミングは温度に関係なく同じタイミングとしたが、これに限るものではなく、温度センサ４３の検出結果に応じてＬＥＤアレイ１２の点灯開始タイミングを変更してもよい。
【００７０】
なお、実施の形態２に係るプロジェクタのその他の構成は、実施の形態１に係るプロジェクタの構成と同様であるため、対応する箇所には同じ符号を付して詳細な説明を省略する。
【００７１】
（変形例）
図１０は、本発明の実施の形態２の変形例に係るプロジェクタのＬＥＤの点灯機構の構成を示す回路図である。変形例に係るプロジェクタの制御部４２ｄは、ＬＥＤ駆動部２２ｄにＬＥＤアレイ１２（図１０には１つのＬＥＤのみ図示してある）の点灯／非点灯を決定する１ビットの駆動命令を与えて、ＬＥＤアレイ１２の点灯／非点灯のタイミングのみを制御するようにしてある。ＬＥＤ駆動部２２ｄは、駆動電流を発生する電流源Ｉｓ及び駆動電流の供給／非供給を切り替えるスイッチＳＷを備えており、制御部４２ｄからＬＥＤアレイ１２を点灯する命令が与えられた場合に、スイッチＳＷを切り替えてＬＥＤアレイ１２へ駆動電流を供給するようにしてある。ＬＥＤアレイ１２の各ＬＥＤは、アノード側にＬＥＤ駆動部２２ｄの出力が接続されて駆動電流が供給されるようにしてある。また、直列に接続された抵抗Ｒ及びサーミスタＲｔｈと容量Ｃとが、ＬＥＤアレイ１２のカソード及び接地電位の間に並列に接続されている。
【００７２】
サーミスタＲｔｈは、温度に応じて抵抗値が変化する素子であり、温度が高温であるほど抵抗値は小さくなる。サーミスタＲｔｈは高圧水銀ランプ１１の近傍に配し、高圧水銀ランプ１１の温度検出用の素子として用いる。これにより、高温時にはサーミスタＲｔｈの抵抗値が減少するため、抵抗Ｒ、サーミスタＲｔｈ及び容量Ｃによる時定数が小さくなり、ＬＥＤアレイ１２は短い時間で光量が最大となる。また、低温時にはサーミスタＲｔｈの抵抗値が増大するため時定数が大きくなり、ＬＥＤアレイ１２の光量が最大となるまでの時間が高温時より遅れる。よって、高圧水銀ランプ１１の周囲の温度変化に合わせて、ＬＥＤアレイ１２の光量が最大となるまでの時間を調整することができる。
【００７３】
（実施の形態３）
図１１は、本発明の実施の形態３に係るプロジェクタの構成を示すブロック図である。実施の形態３に係るプロジェクタ５１の制御部５２には、高圧水銀ランプ１１の累積使用時間を計時するための点灯時間計時部５３と、高圧水銀ランプ１１の点灯の可否を決定する点灯禁止フラグ５４とが備えられている。点灯時間計時部５３は、所謂カウンタであり、高圧水銀ランプ１１の寿命である数千時間をカウントすることができるようにしてある。また、点灯時間計時部５３は、プロジェクタ５１の電源がオフにされた場合であってもカウントした時間が消失せず、高圧水銀ランプ１１が交換された場合に計時した時間がリセットされるようにしてある。
【００７４】
点灯禁止フラグ５４は、点灯時間計時部５３の計時した時間が予め定められた時間に達した場合に”１”に設定され、高圧水銀ランプ１１が交換された場合に”０”に設定されるようにしてある。また、点灯禁止フラグ５４は、制御部５２に備えられたフラッシュメモリ又はＥＥＰＲＯＭ等の不揮発性メモリに設けられ、プロジェクタ５１の電源がオフにされた場合であっても値が初期化されないようにしてある。
【００７５】
図１２は、本発明の実施の形態３に係るプロジェクタの起動時に制御部が行う光源の点灯処理の処理手順を示すフローチャートである。ユーザによりプロジェクタ５１に電源が投入された後、制御部５２はまず、点灯禁止フラグ５４が”１”に設定されているか否かを調べ（ステップＳ４１）、点灯禁止フラグ５４が”１”に設定されている場合は（Ｓ４１：ＹＥＳ）、制御部５２は高圧水銀ランプ１１及びＬＥＤアレイ１２の点灯を行わずに処理を終了する。点灯禁止フラグ５４が”１”に設定されていない場合、即ち”０”に設定されている場合には（Ｓ４１：ＮＯ）、制御部５２は、ランプ駆動部２３に駆動命令を与えて、高圧水銀ランプの点灯を行い（ステップＳ４２）、その後数秒間待機して（ステップＳ４３）、点灯判定部２１により高圧水銀ランプ１１の点灯が成功したか否かを調べる（ステップＳ４４）。
【００７６】
高圧水銀ランプ１１の点灯に失敗していた場合（Ｓ４４：ＮＯ）、予め定められた所定回数以上に高圧水銀ランプ１１の点灯に失敗したか否かを調べる（ステップＳ４５）。所定回数以上に点灯を失敗していた場合（Ｓ４５：ＹＥＳ）、制御部５２は高圧水銀ランプ１１及びＬＥＤアレイ１２の点灯を行わずに処理を終了する。点灯に失敗した回数が所定回数以上でない場合（Ｓ４５：ＮＯ）、数十秒間待機して（ステップＳ４６）、高圧水銀ランプ１１の温度が低下するまで待ち、ステップＳ４２へ戻って、高圧水銀ランプ１１の点灯を行う。
【００７７】
ステップＳ４４にて、高圧水銀ランプ１１の点灯に成功していた場合（Ｓ４４：ＹＥＳ）、点灯時間計時部５３による計時を開始し（ステップＳ４７）、ＬＥＤ駆動部２２に駆動命令を与えて、ＬＥＤアレイ１２の点灯を開始する（ステップＳ４８）。次いで、制御部５２に備えられたタイマにより計時を行って、一定時間が経過したか否かを調べ（ステップＳ４９）、一定時間が経過していない場合には（Ｓ４９：ＮＯ）、一定時間が経過するまで待機する。一定時間が経過した後（Ｓ４９：ＹＥＳ）、予め定められた電流増加量にしたがってＬＥＤアレイ１２へ供給する電流量を増加する（ステップＳ５０）。その後、ＬＥＤアレイ１２の光量が最大量に達して、ＬＥＤアレイ１２の点灯が完了したか否かを調べ（ステップＳ５１）、完了していない場合には（Ｓ５１：ＮＯ）、ステップＳ４９へ戻り、供給電流量の増加を繰り返し行う。ＬＥＤアレイ１２の点灯が完了した場合（Ｓ５１：ＹＥＳ）、制御部５２は処理を終了する。なお、点灯時間計時部５３による計時は、高圧水銀ランプ１１が消灯されるまで継続される。
【００７８】
以上の構成のプロジェクタにおいては、高圧水銀ランプ１１がある程度以上の時間使用された場合には、高圧水銀ランプ１１の点灯を禁止するため、高圧水銀ランプ１１が破裂する虞をなくすことができる。また、所定の時間以上に高圧水銀ランプ１１が使用されて点灯が禁止された場合、及び高圧水銀ランプの点灯を試みて失敗した場合に、ＬＥＤアレイ１２の点灯を行わない構成としたため、スクリーン１０２に赤色のみの映像が表示されることを防止できる。
【００７９】
なお、実施の形態３に係るプロジェクタのその他の構成は、実施の形態１に係るプロジェクタの構成と同様であるため、対応する箇所には同じ符号を付して詳細な説明を省略する。
【００８０】
（実施の形態４）
図１３は、本発明の実施の形態４に係るプロジェクタの起動時に制御部が行う光源の点灯処理の処理手順を示すフローチャートである。ユーザによりプロジェクタに電源が投入された後、制御部はまず、ランプ駆動部２３に駆動命令を与えて、高圧水銀ランプの点灯を行う（ステップＳ６１）。その後、数秒間待機して（ステップＳ６２）、点灯判定部２１により高圧水銀ランプ１１の点灯が成功したか否かを調べる（ステップＳ６３）。
【００８１】
高圧水銀ランプ１１の点灯に失敗していた場合（Ｓ６３：ＮＯ）、予め定められた所定回数以上に高圧水銀ランプ１１の点灯に失敗したか否かを調べる（ステップＳ６４）。所定回数以上に点灯を失敗していた場合（Ｓ６４：ＹＥＳ）、制御部はＬＥＤアレイ１２を点灯する（ステップＳ６５）。このときのＬＥＤアレイ１２の点灯は、供給する電流量の調整は行わずに、短期間で光量が最大となるように行われる。次いで、光変調部１５にて報知用の映像を形成し、投射レンズ１６からスクリーン１０２へ報知用の映像を投射する（ステップＳ６６）。これにより、ＬＥＤアレイ１２が発する赤色光のみで形成された赤色の報知用の映像がスクリーン１０２へ投射される。報知用の映像は、例えば、「ランプの寿命が尽きました」又は「ランプを交換して下さい」等のメッセージをユーザに対して表示するものである。
【００８２】
ステップＳ６４にて、点灯に失敗した回数が所定回数以上でない場合（Ｓ６４：ＮＯ）、数十秒間待機して（ステップＳ６７）、高圧水銀ランプ１１の温度が低下するまで待ち、ステップＳ６１へ戻って、高圧水銀ランプ１１の点灯を行う。
【００８３】
ステップＳ６３にて、高圧水銀ランプ１１の点灯に成功していた場合（Ｓ６３：ＹＥＳ）、ＬＥＤ駆動部２２に駆動命令を与えて、ＬＥＤアレイ１２の点灯を開始する（ステップＳ６８）。制御部に備えられたタイマにより計時を行って、一定時間が経過したか否かを調べ（ステップＳ６９）、一定時間が経過していない場合には（Ｓ６９：ＮＯ）、一定時間が経過するまで待機する。一定時間が経過した後（Ｓ６９：ＹＥＳ）、予め定められた電流増加量にしたがってＬＥＤアレイ１２へ供給する電流量を増加する（ステップＳ７０）。その後、ＬＥＤアレイ１２の光量が最大量に達して、ＬＥＤアレイ１２の点灯が完了したか否かを調べ（ステップＳ７１）、完了していない場合には（Ｓ７１：ＮＯ）、ステップＳ６９へ戻り、供給電流量の増加を繰り返し行う。ＬＥＤアレイ１２の点灯が完了した場合（Ｓ７１：ＹＥＳ）、制御部は処理を終了する。
【００８４】
以上の構成のプロジェクタにおいては、高圧水銀ランプ１１の寿命が尽きて点灯できなくなった場合に、ユーザに対して報知映像を表示することができるため、高圧水銀ランプ１１の交換を促すことができる。また、報知映像はＬＥＤアレイ１２からの赤色光により形成されるため、ユーザが緊急度の高い警告として認識する可能性が高く、より確実に高圧水銀ランプ１１の交換を促すことができる。なお、実施の形態４に係るプロジェクタもまた、実施の形態３に係るプロジェクタ５１と同様に、高圧水銀ランプ１１の点灯時間を計時し、点灯時間が一定時間を超過した場合には高圧水銀ランプ１１を点灯しない構成とし、この場合にもＬＥＤアレイ１２の赤色光による報知映像を表示してもよい。
【００８５】
なお、実施の形態４に係るプロジェクタのその他の構成は、実施の形態１に係るプロジェクタの構成と同様であるため、対応する箇所には同じ符号を付して詳細な説明を省略する。
【図面の簡単な説明】
【００８６】
【図１】本発明の実施の形態１に係るプロジェクタの構成を示すブロック図である。
【図２】本発明に係るプロジェクタ起動時の高圧水銀ランプ及びＬＥＤアレイの光量を示すグラフである。
【図３】本発明の実施の形態１に係るプロジェクタの起動時に制御部が行う光源の点灯処理の処理手順を示すフローチャートである。
【図４】本発明の実施の形態１の変形例１に係るプロジェクタの構成を示すブロック図である。
【図５】本発明の実施の形態１の変形例２に係るプロジェクタの構成を示すブロック図である。
【図６】本発明の実施の形態１の変形例３に係るプロジェクタのＬＥＤの点灯機構の構成を示す回路図である。
【図７】本発明の実施の形態２に係るプロジェクタの構成を示すブロック図である。
【図８】本発明の実施の形態２に係るプロジェクタ起動時の高圧水銀ランプ及びＬＥＤアレイの光量を示すグラフである。
【図９】本発明の実施の形態２に係るプロジェクタの起動時に制御部が行う光源の点灯処理の処理手順を示すフローチャートである。
【図１０】本発明の実施の形態２の変形例に係るプロジェクタのＬＥＤの点灯機構の構成を示す回路図である。
【図１１】本発明の実施の形態３に係るプロジェクタの構成を示すブロック図である。
【図１２】本発明の実施の形態３に係るプロジェクタの起動時に制御部が行う光源の点灯処理の処理手順を示すフローチャートである。
【図１３】本発明の実施の形態４に係るプロジェクタの起動時に制御部が行う光源の点灯処理の処理手順を示すフローチャートである。
【符号の説明】
【００８７】
１、１ａ、１ｂ  プロジェクタ
１１  高圧水銀ランプ（白色光源）
１２、１２ｂ  ＬＥＤアレイ（補助光源）
１３  ダイクロイックプリズム
１４  カラーホイール
１５  光変調部
１６  投射レンズ
２０、２０ａ、２０ｂ、２０ｃ  制御部
２１  点灯判定部（判定手段）
２２、２２ｂ、２２ｃ、２２ｄ  ＬＥＤ駆動部
２３  ランプ駆動部
２４  入力部
３１  パルス信号生成部
４１  プロジェクタ
４２、４２ｄ  制御部
４３  温度センサ（検出手段）
５１  プロジェクタ
５２  制御部
５３  点灯時間計時部（計時手段）
５４  点灯禁止フラグ
【図１】
2007147870.tif 000003
【図２】
2007147870.tif 000004
【図３】
2007147870.tif 000005
【図４】
2007147870.tif 000006
【図５】
2007147870.tif 000007
【図６】
2007147870.tif 000008
【図７】
2007147870.tif 000009
【図８】
2007147870.tif 000010
【図９】
2007147870.tif 000011
【図１０】
2007147870.tif 000012
【図１１】
2007147870.tif 000013
【図１２】
2007147870.tif 000014
【図１３】
2007147870.tif 000015